(57)【要約】      （修正有）【課題】組立が容易で、折り畳み可能な商品陳列台を提供する。【解決手段】商品陳列台１は、本体下部パーツ１０と、本体上部パーツ３０と、側部アームパーツ５０からなり、本体下部パーツ１０は、載置板１１と、載置板１１に連接された中央脚板１２と、中央脚板１２の両側に連接されるとともに載置板１１の両側に上端部が接着されてなる一対の側部脚板１４とからなる。本体上部パーツ３０は、下端部で載置板１１に接着されてなる表背板３１と、表背板３１の両側に連接された一対の裏背板と、表背板の上端部に連接された情報表示板３９とからなり、側部アームパーツ５０は一対の側部アーム５１，５２からなり、各側部アーム５１，５２は、情報表示板３９の裏面に接着される固定板と、固定板に連接されて固定板と反対側端は載置板１１と側部脚板１４との接着部に接着されたアーム５５，５６とからなる。【選択図】図１
0003174238.tif 000002
【実用新案登録請求の範囲】
【請求項１】
商品陳列台は、本体下部パーツと、本体上部パーツと、側部アームパーツからなり、
前記本体下部パーツは、載置板と、この載置板の一側に第１の折り線を介して連接された中央脚板と、この中央脚板の両側にそれぞれ第２，第３の折り線を介して連接されるとともに前記載置板の両側にそれぞれの上端部が接着されてなる一対の側部脚板とからなり、一方の側部脚板は前記第１及び第２の折り線の交点から斜めに伸びる第４の折り線を有し、他方の側部脚板は前記第１及び第３の折り線の交点から斜めに伸びる第５の折り線を有してなり、
前記本体上部パーツは、下端部で前記載置板の前記第１の折り線とは反対側の端部に接着されてなる表背板と、この表背板の両側に第６，第７の折り線を介して連接された一対の裏背板と、前記表背板の上端部に第８の折り線を介して連接された情報表示板とからなり、
前記側部アームパーツは一対の側部アームからなり、各側部アームは、それぞれ前記本体上部パーツの情報表示板の裏面に接着される固定板と、これら固定板にそれぞれ第９，第１０の折り線を介して連接されて固定板と反対側端は前記載置板と前記側部脚板との接着部に接着されたアームとからなり、これら各アームは、それぞれ第９及び第１０の各折り線の上端から前記中央脚板側の接着端とを結ぶ第１１及び第１２の折り線と、前記第９及び第１０の折り線と直交するように伸びる第１３及び第１４の折り線と、前記第１３及び前記第１４の折り線と前記接着端との間に位置して幅方向に斜めに伸びる第１５及び第１６の折り線を有してなる
ことを特徴とする折り畳み可能な商品陳列台。
【請求項２】
請求項１の構成において、第１の折り線から上方に突出する規制片を備える一方、一対の裏背板にはこれら裏背板を互いに係止するための切り込みとこの切り込みに挿入される係止片とを相対的に設けたことを特徴とする折り畳み可能な商品陳列台。
【請求項３】
請求項１または２の構成において、第６，第７，第８の各折り線を、所定間隔をおいて平行に伸びる二重折り線で構成したことを特徴とする折り畳み可能な商品陳列台。
【考案の詳細な説明】
【技術分野】
【０００１】
本考案は、商品を陳列するための折り畳み可能な商品陳列台に関する。
【背景技術】
【０００２】
従来知られている折り畳み可能な商品陳列台の構成は、一対の側壁を背壁に連接し、両側壁間に棚を渡し、この棚は背壁に上下方向に回動自在に取り付け、両側壁間に折畳み用の斜折線を有する棚受板を渡し、この棚受板で棚を支持する一方、棚受板は、その両側部及び側壁のビス穴を貫通する、別途用意したプラスチック製のビスで側壁に固定し、また、商品の広告や各種情報を表示する表示パネルを別途用意して、背壁の上部に設けたパネル受けに差し込むものである（特許文献１参照）。
【先行技術文献】
【特許文献】
【０００３】
【特許文献１】特開２００４−４９７８８号公報
【考案の概要】
【考案が解決しようとする課題】
【０００４】
しかし、従来の折り畳み可能な商品陳列台は、別途、プラスチック製ビスや表示パネルを用意しなければならないため、組み立て作業が煩雑で、時間もかかるという不都合があった。
本考案は、この不都合を解決した商品陳列台を提供することを目的とする。
【課題を解決するための手段】
【０００５】
この目的を達成するため本考案の請求項１に係る折り畳み可能な商品陳列台は、本体下部パーツと、本体上部パーツと、側部アームパーツからなり、前記本体下部パーツは、載置板と、この載置板の一側に第１の折り線を介して連接された中央脚板と、この中央脚板の両側にそれぞれ第２，第３の折り線を介して連接されるとともに前記載置板の両側にそれぞれの上端部が接着されてなる一対の側部脚板とからなり、一方の側部脚板は前記第１及び第２の折り線の交点から斜めに伸びる第４の折り線を有し、他方の側部脚板は前記第１及び第３の折り線の交点から斜めに伸びる第５の折り線を有し、前記本体上部パーツは、下端部で前記載置板の前記第１の折り線とは反対側の端部に接着されてなる表背板と、この表背板の両側に第６，第７の折り線を介して連接された一対の裏背板と、前記表背板の上端部に第８の折り線を介して連接された情報表示板とからなり、前記側部アームパーツは一対の側部アームからなり、各側部アームは、それぞれ前記本体上部パーツの情報表示板の裏面に接着される固定板と、これら固定板にそれぞれ第９，第１０の折り線を介して連接されて固定板と反対側端は前記載置板と前記側部脚板との接着部に接着されたアームとからなり、これら各アームは、それぞれ第９及び第１０の各折り線の上端から前記中央脚板側の接着端とを結ぶ第１１及び第１２の折り線と、前記第９及び第１０の折り線と直交するように伸びる第１３及び第１４の折り線と、前記第１３及び前記第１４の折り線と前記接着端との間に位置して幅方向に斜めに伸びる第１５及び第１６の折り線を有してなるものである。
【０００６】
同じく上記目的を達成するため本考案の請求項２に係る折り畳み可能な商品陳列台は、請求項１の構成において、第１の折り線から上方に突出する規制片を備える一方、一対の裏背板にはこれら裏背板を互いに係止するための切り込みとこの切り込みに挿入される係止片とを相対的に設けたものである。
【０００７】
同じく上記目的を達成するため本考案の請求項３に係る折り畳み可能な商品陳列台は、請求項１または２の構成において、第６，第７，第８の各折り線を、所定間隔をおいて平行に伸びる二重折り線で構成したものである。
【考案の効果】
【０００８】
本考案の請求項１に係る折り畳み可能な商品陳列台によれば、折り畳み状態がコンパクトで嵩張らず、搬送や携帯に便利であるとともに、組み立ても容易で、別途他の部材を用意する必要がなく、使い勝手がよいという効果を奏する。
【０００９】
本考案の請求項２に係る折り畳み可能な商品陳列台によれば、請求項１に係る商品陳列台の奏する効果に加えて、規制片によって載置板上に載置した商品が落下するのを防止でき、また、裏背板を互いに係止できるので、折り畳み状態での取り扱いがさらに容易になるとともに、組み立て状態での表背板の補強がより確実になるという効果を奏する。
【００１０】
本考案の請求項３に係る折り畳み可能な商品陳列台によれば、請求項１または２に係る商品陳列台の奏する効果に加えて、折り線が２重になっているので、この折り線の間隔に対応する幅が襠となり、折り畳み状態への移行がより円滑かつ確実になされるとともに、折り畳み状態で厚み方向に不必要に膨らむことがないという効果を奏する。
【図面の簡単な説明】
【００１１】
【図１】本考案の一実施形態の正面側を示す斜視図。
【図２】同じく背面側を示す斜視図。
【図３】同じく各パーツを示す分解平面図。
【図４】同じく折り畳み状態を示す平面図。
【考案を実施するための形態】
【００１２】
以下、本考案の一実施形態について、添付図面に基づいて詳細に説明する。
図１〜図３に示すように、商品陳列台１は、本体下部パーツ１０と、本体上部パーツ３０と、側部アームパーツ５０からなり、これら各パーツ１０，３０，５０は、例えば厚紙などのシート材からなる。
【００１３】
図３に示すように、本体下部パーツ１０は、商品を陳列する載置板１１と、この載置板１１の一側に第１の折り線２１を介して連接された中央脚板１２と、この中央脚板１２の両側にそれぞれ第２，第３の折り線２２，２３を介して連接された一対の側部脚板１３，１４からなる。前記折り線２１は、両端部のみに形成され、中央部は分断されて前記載置板１１に設けた切り込みで規制片１５を形成している。この規制片１５は、前記載置板１１上に載置、陳列した商品が落下するのを規制するものである。
【００１４】
載置板１１の残りの三側には、それぞれ折り線２４，２５，２６を介して糊代１６，１７，１８を設けている。前記糊代１６には側部脚板１３の上端部裏面が接着され、前記糊代１７には側部脚板１４の上端部裏面が接着される。また、前記糊代１８は、後述する本体上部パーツ３０の表背板３１の下端部表面が接着される。前記側部脚板１３には、各折り線２１，２２の交点から斜めに伸びる第４の折り線２７を設けている。前記側部脚板１４には、同様に、各折り線２１，２３の交点から斜めに伸びる第５の折り線２８を設けている。
【００１５】
本体上部パーツ３０は、載置板１１の第１の折り線２１とは反対側の端部に折り線２６を介して設けた糊代１７に、裏面の下端部で接着されてなる表背板３１を備えている。この表背板３１の両側には、第６，第７の折線たるそれぞれ所定間隔をおいて平行に伸びる二重折り線４１，４２を介して、一対の裏背板３２，３３が連接されている。これら裏背板３２，３３には、これら裏背板３２，３３を前記各二重折り線４１，４２で折り重ねて互いに係止するたに、裏背板３３には切り込み３４を設ける一方、裏背板３２にはこの切り込み３４に挿入する係止片３５を設けている。この係止片３５は、ミシン目などの切り取り線３６によって区画形成されている。
【００１６】
切り取り線３６の外側には２本の切り取りジッパー線に挟まれた開封帯３７が設けられている。そして、この開封帯３７のさらに外側は糊代３８となっている。この糊代３８は、商品陳列台１の折り畳み時（図４参照）に、一方の裏背板３２を他方の裏背板３３に接着するためのものである。
【００１７】
また、表背板３１の上端部には、第８の折り線たる所定間隔をおいて平行に伸びる二重折り線４３を介して情報表示板３９が連接されている。この情報表示板３９は、その表面に載置板１１上に陳列する商品に関する宣伝広告文や、キャッチコピーなどを表示するものである。
【００１８】
側部アームパーツ５０は一対の側部アーム５１，５２からなる。これら各側部アーム５１，５２は、それぞれ本体上部パーツ３０の情報表示板３９の裏面に接着される固定板５３，５４と、これら固定板５３，５４にそれぞれ第９，第１０の折り線６１，６２を介して連接されたアーム５５，５６からなる。これらアーム５５，５６の固定板５３，５４と反対側端には、折り線６３，６４を介して糊代５７，５８が設けられている。そして、これら糊代５７，５８によって、載置板１１と各側部脚板１３，１４との接着部である糊代１６，１８の中央脚板１２寄りに接着されている。
【００１９】
また、各アーム５５，５６には、それぞれ第９及び第１０の各折り線６１，６２の上端からそれぞれの糊代５７，５８の中央脚板１２寄りの接着端とを結ぶ第１１及び第１２の折り線６５，６６と、前記各折り線６１，６２と直交するように伸びる第１３及び第１４の折り線６７，６８と、これらの折り線６７，６８と糊代５７，５８との間に位置して幅方向に斜めに伸びる第１５及び第１６の折り線６９，７０が設けられている。
【００２０】
以上のように構成した本実施形態において、商品陳列台１は、本体上部パーツ３０の表背板３１に、まず、側部アームパーツ５０を各折り線６１，６２，６３，６４，６７，６８，６９，７０で折り重ねるとともに、本体下部パーツ３０の各側部脚板１３，１４を各折り線２７，２８で中央脚板１２と載置板１１の間に折り込むようにして、各折り線２１，２６で折り重ねる。次いで、二重折り線４３で情報表示板３９を本体下部パーツ１０の上に折り重ね、その上に二重折り線４２で一方の裏背板３３を折り重ね、さらに、二重折り線４１で他方の裏背板３２を前記裏背板３３に折り重ね、糊代３８に設けた両面テープや接着剤などの適宜な接着手段（図示せず）で両裏背板３２，３３同士を接着し、図４に示す折畳み状態とすることができる。
【００２１】
そして、この折畳み状態で保管や搬送をするのであるが、表背板３１の三側部の折り線が二重折り線４１，４２，４３となっているので、これらの二重折り線４１，４２，４３の折り線間隔に対応する幅が襠となり、折り畳み状態への移行がより円滑かつ確実になされるとともに、折り畳み状態で厚み方向に不必要に膨らむことがなく、保管や搬送の際に場所をとらず、取り扱いが容易である。
【００２２】
一方、図４に示す折畳み状態から、図１及び図２に示す組み立て状態とするには、まず、ジッパー線を破断して開封帯３７を切り取り、各裏背板３２，３３を開いて、情報表示板３９の裏面に接着した固定板５３，５４及び本体下部パーツ１０を露出状態とする。次いで、情報表示板３９を表面側が露出するように開いて表背板３１の延長上に位置するようにするとともに、中央脚板１２を引き出すようにして、表背板３１に対して、載置板１１がほぼ直交状態になるようにするとともに、各脚板１２，１３，１４がほぼ平行状態となるようにする。この時、規制片１５は立ち上がった状態となる。
【００２３】
さらに、一対のアーム５１，５２を起立させ、折り線６５，６６から外側に折り曲げて前記一対のアーム５１，５２の起立状態を維持するようになす。続いて、各裏背板３２，３３を二重折り線４１，４２で表背板３１の裏面側に折り返して、切込みに３４に係止片３５を挿入係止すると、組み立てが終了する。そして、各脚板１２，１３，１４を商品収納ケースなどの箱体８０に被せて、陳列台として使用可能になる（図１及び図２参照）。
【００２４】
なお、本考案は上述の実施形態に限定されるものではなく、例えば、規制片１５は必ずしも設ける必要はない。また、開封帯３７と糊代３８を設けることなく、係止片３５を切り込み３４に挿入係止して、折り畳み状態時の係止を行なうこともできる。さらに、係止片３５と切り込み３４などの係止機構は必ずしも設ける必要はない。またさらに、二重折り線４１，４２，４３を採用することにより、襠を形成することで使い勝手がよくなるが、通常の折り線の場合でも折り畳み状態が実現できないものではない。さらにまた、中央脚板１１及び各側部脚板１３，１４を載置板１１の裏側に折り畳んだ状態で、商品陳列台１を適宜な陳列棚や台の上に載置して使用することも可能である。
【符号の説明】
【００２５】
１    商品陳列台
１０    本体下部パーツ
１１    載置板
１２    中央脚板
１３，１４    側部脚板
１５    規制片
１６，１７，１８，３８，５７，５８    糊代
２１，２２，２３，２４，２５，２６，２７，２８，６１，６２，６３，６４，６５，６６，６７，６８      折り線
３０   本体上部パーツ
３１    表背板
３２，３３    裏背板
３４    切り込み
３５    係止片
３６    切り取り線
３７    開封帯
３９    情報表示板
４１，４２，４３    二重折り線
５０    側部アームパーツ
５１，５２    側部アーム
５３，５４    固定板
５５，５６    アーム
【図１】
0003174238.tif 000003
【図２】
0003174238.tif 000004
【図３】
0003174238.tif 000005
【図４】
0003174238.tif 000006